(57)【要約】      （修正有）【課題】使用に際し使用時に接触による装着者の肌への影響を軽減することで肌を保護するおむつパッドを提供する。【解決手段】肌保護おむつパッドは略長方形状となっている。大きさに関しては、短辺が股下に装着可能で長辺が下腹部から臀部まで覆うものであり、装着により尿道口、肛門を覆いし尿を吸収するのに適したものである。パッド本体は通過シート４、吸収体５、覆いシート６、裏面シート３が積層配置した状態で構成され、それぞれの大きさ形状は肌保護おむつパッドの大きさ形状に基づいたものである。また、裏面シート３の露出表面には固定体７が設けられる。それらの位置はおむつパッドを装着しておむつカバーなどで押さえ込む際におむつカバーに固定させる位置である。固定体７としては両面粘着性素材、両面接着性素材などがあげられる。【選択図】図２
0003199887.tif 000002
【実用新案登録請求の範囲】
【請求項１】
少なくとも肌側に位置する通過シートと防水性あるいは撥水性を有する裏面シートで吸収体を挟みこんだパッド本体と、
ガーゼよりなり該パッド本体よりも大きな形状で周縁全部あるいは一部に延設された折り返し部を有するガーゼよりなる肌接触シートと
前記折り返し部を折り返し少なくとも前記通過シートを巻き込んだ状態で固定する固定手段よりなり、
全体形状が股下保護部、該股下保護部から任意のおむつカバーにて使用する際に該おむつカバー前上端位置まで先端が延設された前方覆い部、該股下保護部から任意のおむつカバーにて使用する際に該おむつカバー後上端位置まで先端が延設された臀部覆い部を形成するものであることを特徴とする肌保護おむつパッド。
【請求項２】
前記前方覆い部が股下保護部から上方にむけ略弧状に広がった形状の下腹延長部を左右に形成するものであることを特徴とする請求項１記載の肌保護おむつパッド。
【請求項３】
前記臀部覆い部が股下保護部から上方にむけ略弧状に広がった形状の臀側延長部を左右に形成するものであることを特徴とする請求項１又は２記載の肌保護おむつパッド。
【請求項４】
前記固定手段はガーゼを通して肌に接触しないものであることを特徴とする請求項１、２又は３記載の肌保護おむつパッド。
【考案の詳細な説明】
【技術分野】
【０００１】  本考案は、使用に際し使用時に接触による装着者の肌への影響を軽減することで肌を保護するおむつパッドに関する
【背景技術】
【０００２】  従来、おむつパッドは吸収シートと防水性などの表面シートでシート状の吸収体を挟みこみ周縁を接着、縫着するものであった。量産技術としては、吸収シートと表面シートを重ねてそれぞれの成分を溶かし接続する熱溶着によるものが大半となっている。
特許文面１に示すように、肌接触面にガーゼを配するものはあるが、周縁部が肌が露出接触するものがあった。
【先行技術文献】
【特許文献】
【０００３】
【特許文献１】  特開２０１３−１０８９６３
【特許文献２】
【考案の概要】
【考案が解決しようとする課題】
【０００４】  熱溶着技術によるものに関しては、熱溶着部において通気性が大幅に減少もしくは損失してしまうため、肌に触れた際に肌損傷の原因となっていた。また、熱溶着シートは化学組成材料のため、その組成物に対しアレルギーがある場合にアレルギー反応を起こす恐れがあった。【０００５】  接触面にガーゼを利用する場合でも周縁に他素材が露出する構造では、同様の問題が生じる。【０００６】  ガーゼを接触面全面に配置されるものである場合、周縁の接合に熱溶着は利用できず、これを解決するために縫合手段を利用した場合においては、縫合の糸が露出接触し肌を損傷させる恐れがあった。
本考案は、以上の課題を解決するためのものである。
【課題を解決するための手段】
【０００７】  少なくとも肌側に位置する通過シートと防水性あるいは撥水性を有する裏面シートで吸収体を挟みこんだパッド本体と、
ガーゼよりなり該パッド本体よりも大きな形状で周縁全部あるいは一部に延設された折り返し部を有するガーゼよりなる肌接触シートと
前記折り返し部を折り返し少なくとも前記通過シートを巻き込んだ状態で固定する固定手段よりなり、全体形状が股下保護部、該股下保護部から任意のおむつカバーにて使用する際に該おむつカバー前上端位置まで先端が延設された前方覆い部、該股下保護部から任意のおむつカバーにて使用する際に該おむつカバー後上端位置まで先端が延設された臀部覆い部を形成するものであることを特徴とする。【０００８】  前記前方覆い部左右側面にそれぞれ股下保護部から上方にむけ略弧状に広がった形状の下腹延長部を具備する。【０００９】  前記臀部覆い部左右側面にそれぞれ股下保護部から上方にむけ略弧状に広がった形状の臀側延長部を具備する。【００１０】前記固定手段はガーゼを通して肌に接触しないものであることを特徴とする。
【考案の効果】
【００１１】  パッド本体より大きく折り返し部を折り返してガーゼよりなる肌接触シートを固定することにより、肌に接触するのはガーゼ素材のみとなり、接触部の通気性を向上させムレや菌の発生や増殖を抑止し褥創の防止になる。
化学組成材料が肌に接触しないためその組成物によるアレルギー反応を回避することができる。
前方覆い部、該股下保護部、臀部覆い部よりなる構造により、おむつカバーで本考案おむつパッドを覆い固定した際に、ガーゼでより広範囲を覆うため、おむつカバーに接触する部分が減少し、ムレ抑止、アレルギー反応回避などの本考案の効果をより広範囲で実現可能とした。【００１２】  前記前方覆い部左右側面にそれぞれ股下保護部から上方にむけ略弧状に広がった形状の下腹延長部を具備することで前方広範囲でのし尿の吸収を実現し、し尿漏れをより効率的に防止することができる。【００１３】  前記臀部覆い部左右側面にそれぞれ股下保護部から上方にむけ略弧状に広がった形状の臀側延長部を具備するすることで臀部側広範囲でのし尿の吸収を実現し、し尿漏れをより効率的に防止することができる。【００１４】  前記固定手段はガーゼを通して肌に接触しないものにすることにより、より肌への影響を抑止することができる。
【図面の簡単な説明】
【００１５】
【図１】  本考案の第一実施形態の斜視図
【図２】  本考案の第一実施形態の分解図
【図３】  本考案の第一実施形態の組立説明図
【図４】  本考案の第一実施形態のＡ−Ａ断面図
【図５】  本考案の第一実施形態の使用説明図
【図６】  本考案の第二実施形態の組立説明図
【図７】  本考案の第三実施形態の斜視図
【図８】  本考案の第三実施形態の分解図
【図９】  本考案の第三実施形態の組立説明図
【図１０】  本考案の第三実施形態の使用説明図
【図１１】  本考案の第四実施形態の正面図
【考案を実施するための形態】
【００１６】  以下、本考案の第一実施形態を図１乃至図５を用いて説明する。
図１は本考案の第一実施形態の斜視図、図２は本考案の第一実施形態の分解図、図３は本考案の第一実施形態の組立説明図、図４は本考案の第一実施形態のＡ−Ａ断面図、図５は本考案の第一実施形態の使用説明図である。
本実施形態においては、図１に示すように肌保護おむつパッド１は略長方形状となっている。
大きさに関しては、短辺が股下に装着可能で長辺が下腹部から臀部まで覆うものであり、装着により尿道口、肛門を覆いし尿を吸収するのに適したものである。
本考案において股下に部分を股下覆い部１６、該股下覆い部１６から前方に延設され下腹部までにあたる部分を前方覆い部１５、股下覆い部１６から後方に延設され臀部上部までにあたる部分を臀部覆い部１７として説明する。
【００１７】  本考案は、パッド本体と肌接触シートが後述する固定手段により固定されることで構成されたものである。
本実施形態において、パッド本体は通過シート４、吸収体５、覆いシート６、裏面シート３が図２、図４に示されるように積層配置した状態で構成され、それぞれの大きさ形状は前述した肌保護おむつパッド１の大きさ形状に基づいたものである。
通過シート４は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維などがあげられる。
吸収体５は、図２において前記通過シート４の上に配置され、通常のおむつパッドに利用されている各種素材が適用できる。たとえばフラッフ状パルプと吸水性ポリマーとにより構成される。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
吸収体５の上には覆いシート６が配置される。
ここで覆いシート６としては目的に応じて各種素材が活用される。
例えば防水目的であれば防水性素材、通気性をかねて遮水効果を得たいときには撥水素材を用いる。また、より吸水性を高め水分を吸収拡散するときには吸水性素材を用いる。
覆いシート６の上には裏面シート３が配置される。ここで裏面シート３はパッド本体の遮水性を得るために通常用いられる防水素材、撥水素材が用いられる。
また、裏面シート３の露出表面には固定体７が設けられる。図においては前方覆い部１５、臀部覆い部１７に設けられる。それらの位置はおむつパッドを装着しておむつカバーなどで押さえ込む際におむつカバーに固定させる位置である。固定体７としては両面粘着性素材、両面接着性素材などがあげられる。
ここで通過シート４と覆いシート６はほぼ同じ大きさ形状であり、吸収体５はこれより一回り小さく、中心位置を合わせて重ねた際に前記通過シート４の外周が露出し接合部となるようになっている。
通過シート４の下となる最下位置にはガーゼよりなる肌接触シート２が配置される。
肌接触シート２は通過シート４よりも大きく、中心位置を合わせた際に外周に露出部位である折り返し部８となっている。
肌接触シート２をガーゼにすることにより、十分な通気性を有し、軽くて柔らかいので、肌のデリケートな人でも安心して使用することができる。吸水性が高いパイルなどで起こる肌への引っかかりがないので肌への損傷が極めて低いことで、接触部の通気性を向上させムレや菌の発生や増殖を抑止し褥創の防止になる。
【００１８】  上記各構成部材による肌保護おむつパッド１の製造方法について図３を用いて説明する。
図３ａに示すように肌接触シート２を最下層とし、以降各構成部材を中心が一致するように積層配置していく。
図３ｂに示すように肌接触シート２の上に通過シート４、吸収体５の順番で置載する。この際、通過シート４の外周に肌接触シート２の外周に折り返し部８が露出する状態となる。
図３ｃに示すように通過シート４の端辺に沿って折り返し部８を折り返す。
図３ｄに示すように覆いシート６を重ね接着剤もしくは熱溶着により外周となる接着部９で通過シート４と覆いシート６で折り返し部８を挟み込んで接合する。
図３ｅに示すように裏面シート３をはがれないように接合し、図３ｆに示すように固定体７をそれぞれ取り付ける。
これにより図４に示すように全体が構成される。図４においては接着剤９をもちいた状態として図示しているが折り返し部８が通過シート４と覆いシート６の外周位置で接着剤９により挟みこまれかつガーゼの網目間で通過し折り返し部８を含めて接合固定される。
溶着した際には、接着剤９と同様の状態で溶解部が形成される。
【００１９】  以下、本考案の使用方法について図５を用いて説明する。
図５に示すように股下覆い部１６が股下、前方覆い部１５が下半身前部、臀部覆い部１７が臀部にあたるようにし、おむつカバー１０で抑えつけるように肌保護おむつパッド１を固定する。
この際、固定体７により肌保護おむつパッド１とおむつカバー１０が固定され、使用時のずれを防止する。
装着時、肌保護おむつパッド１が肌に接触するのはガーゼよりなる肌接触シート２のみとなる。
尿や排便時にはそれら水分成分が肌接触シート２および通過シート４を通過し吸収体５にて吸収される。
吸収されたし尿などの水分は吸収体５により吸収され防水性あるいは撥水性よりなる裏面シート３により遮水されおむつカバー１０を汚すことがない。これによりおむつカバー１０を交換することなくおむつパッドのみの交換で対応することができる。
【００２０】  通過シート４と吸収体５の間に吸収性素材も配置し吸収の吸収力向上や拡散性を向上されるものであってものよい。
【００２１】  本実施形態においては覆いシート６を用いているが、覆いシート６をなくし裏面シート３にするものであってもよい。
【００２２】  以下、本考案の第二実施形態を図６を用いて説明する。
図６は本考案の第二実施形態の組立説明図である。
【００２３】  本実施形態において、接合部のより協力な結合力と折り返しの簡易性を向上させたものである。
第一実施形態との差異は肌接触シート３であり、図６ａに示すように４隅が略４５度で切りか欠かれており、４辺の折り返し部にそれぞれ複数の切り込み部が設けられている。
これにより、折り返した状態で図６ｃに示すように折り返した状態で接合時に通過シート４と覆いシート６の間に折り返し部８が存在しない強接合部位１２と、通過シート４と覆いシート６の間に折り返し部８が存在する弱接合部位１３が形成される。
本実施形態においては、前記第一実施形態の覆いシート６を利用せず裏面シート３を用いたものとなっている。
通過シート４と裏面シート３の接合方法は前記実施形態にて説明した各種接合方法が用いられる。
【００２４】  本実施形態においては強接合部位１２が存在することで、より全体の接合力を向上させることが可能となる。
【００２５】  以下、本考案の第三実施形態を図７乃至図１０を用いて説明する。
図７は本考案の第三実施形態の斜視図、図８は本考案の第三実施形態の分解図、図９は本考案の第三実施形態の組立説明図、図１０は本考案の第三実施形態の使用説明図である。
【００２６】  本実施形態においては、各構成部材が前記前方覆い部が股下保護部から上方にむけ略弧状に広がった形状の下腹延長部を左右に形成し、前記臀部覆い部が股下保護部から上方にむけ略弧状に広がった形状の臀側延長部を左右に形成するもの全体形状となっている。
あわせて肌接触シート２は四隅が略４５度に切りかかれており、各折り返し部８には複数の切り込みによるスリット１４が設けられている。
【００２７】  これにより、湾曲部位において外観形状にあった折り返しが可能となる。
あわせて、少なくとも股下覆い部１５と前方覆い部１４間、股下覆い部１５と臀部覆い部１７の連接部位において前記第二実施形態のように強接合部位１２となり、接合強度を向上させることができる。
【００２８】  本実施形態において、下腹延長部ならびに臀側延長部が形成されることで広範囲でのし尿の吸収を実現し、し尿漏れをより効率的に防止することができる。
【００２９】  尚、本実施形態においては切り込みによるスリットを用いたが、第二実施形態のような切り込みでこれを代用することも可能である。切り込みにより、折り返し部８の各辺において強接合部位を形成することでより強固に全体形状を維持することができる。
【００３０】  以下、本考案の第四実施形態を図１１を用いて説明する。
図１１は本考案の第四実施形態の正面図である。
本実施形態は下腹延長部あるいは臀側延長部が一方にのみ形成されたものである。
この際、延長部が形成された部位に固定体７が設けられている。
【００３１】  上記各実施形態において、本考案の作用効果において記載された各種構成の組み合わせ可能である。
【符号の説明】
【００３２】１  肌保護おむつパッド、
２  肌接触シート、
３  裏面シート、
４  通過シート、
５  吸収体、
６  覆いシート、
７  固定体、
８  折り返し部、
９  接着部、
１０  おむつカバー、
１１  切り込み部、
１２  強接合部位、
１３  弱接合部位、
１４  スリット、
１５  前方覆い部、
１６  股下覆い部、
１７  臀部覆い部
【図１】
0003199887.tif 000003
【図２】
0003199887.tif 000004
【図３】
0003199887.tif 000005
【図４】
0003199887.tif 000006
【図５】
0003199887.tif 000007
【図６】
0003199887.tif 000008
【図７】
0003199887.tif 000009
【図８】
0003199887.tif 000010
【図９】
0003199887.tif 000011
【図１０】
0003199887.tif 000012
【図１１】
0003199887.tif 000013